(57)【要約】【課題】  携帯電話などの端末装置を用いて多量のデータを簡単に配信できるようにする。【解決手段】 雑誌４１には、掲載された記事に関するサーバー４５のアドレスがコーディングされた２次元コード４３が掲載されている。また、携帯電話１の携帯電話網Ｍには、そのサーバー４５が接続されている。カメラ２８を用いて２次元コードを撮像すると、サーバー４５のアドレスが表示部１５に表示される。表示されたアドレスを携帯電話１の使用者が指定すると、サーバー４５に接続する。従って、携帯電話１を用いてサーバー４５に対応するサービスを受けることができる。しかも、２次元コード４３を撮像するだけで正しいアドレスが携帯電話１に入力されるので、こうした煩わしさや打ち間違いの心配がない。【選択図】  図３
2005094641.tif 000002
【特許請求の範囲】
【請求項１】
少なくとも２次元コードを撮像する撮像手段と、
該撮像手段により撮像された２次元コードの情報を認識する認識手段と、
該認識手段により認識された情報を記憶する記憶手段と
を備えたことを特徴とする無線電話。
【請求項２】
前記２次元コードが、少なくとも当該無線電話でアクセス可能なサーバーのアドレスがコーディングされたものであり、
前記認識手段により認識されたアドレスが示すサーバーにアクセスするアクセス手段
を備えたことを特徴とする請求項１に記載の無線電話。
【請求項３】
前記２次元コードが、少なくともテキストデータがコーディングされたものであり、
前記認識手段により認識されたテキストデータを音声にして読み上げる音声出力手段
を備えたことを特徴とする請求項１または２に記載の無線電話。
【請求項４】
２次元コードを表示する画像形成手段と、
少なくとも２次元コードを撮像する撮像手段、該撮像手段により撮像された２次元コードの情報を認識する認識手段、該認識手段により認識された情報を記憶する記憶手段を備えた端末装置と、
を備えたことを特徴とする情報配信システム。
【請求項５】
前記２次元コードが、少なくとも当該無線電話でアクセス可能なサーバーのアドレスがコーディングされたものであり、
前記端末装置が、前記認識手段により認識されたアドレスが示すサーバーにアクセスするアクセス手段
を備えたことを特徴とする請求項４に記載の情報配信システム。
【請求項６】
前記端末装置が、請求項１乃至３の何れかに記載の無線電話であることを特徴とする請求項４または５に記載の情報配信システム。
【請求項７】
前記画像形成手段が、テレビ放送の画像を表示する画像表示手段
であることを特徴とする請求項４乃至６の何れかに記載の情報配信システム。
【発明の詳細な説明】
【技術分野】
【０００１】
本発明は、個人が有する端末装置、特に無線電話（携帯電話やＰＨＳ（Personal Handyphone System：登録商標））に対して情報を配信する情報配信システム及びこれに用いられる無線電話に関する。
【背景技術】
【０００２】
近年、携帯電話やＰＨＳといった無線電話を用いて、通話だけでなく様々な情報を利用可能にされている。例えば、特許文献１には、携帯電話を用いて遠隔地の商業施設での商品購入を可能にする技術が開示されている。
【特許文献１】特開２００１−３５７２２８号公報
【発明の開示】
【発明が解決しようとする課題】
【０００３】
しかしながら、特許文献１に記載の技術によれば、商品データなどが記録されたサーバーなどにアクセスする必要があり、パーソナルコンピュータに比べキーの小さい携帯電話では煩わしく、アドレスの打ち間違いなどの虞もあった。
【０００４】
本発明は係る課題に鑑み成されたもので、携帯電話などの端末装置を用いて多量のデータを簡単に配信できるようにする。
【課題を解決するための手段】
【０００５】
係る目的を達成するために為された請求項１に記載の本発明は、少なくとも２次元コードを撮像する撮像手段と、該撮像手段により撮像された２次元コードの情報を認識する認識手段と、該認識手段により認識された情報を記憶する記憶手段とを備えたことを特徴とする無線電話をその要旨とする。
【０００６】
このように構成された無線電話によれば、撮像手段を用いて２次元コードを端末装置に読み込み、これを認識手段に認識させ、記憶手段に記憶させることにより、いつでもその情報を携帯し、利用可能となる。しかもその情報は２次元コードによりコーディングされているので、多量のデータを容易に無線電話に入力することができる。
【０００７】
請求項２に記載の本発明は、請求項１に記載の無線電話において、前記２次元コードが、少なくとも当該無線電話でアクセス可能なサーバーのアドレスがコーディングされたものであり、前記認識手段により認識されたアドレスが示すサーバーにアクセスするアクセス手段を備えたことを特徴とする。
【０００８】
このように構成された無線電話によれば、撮像手段を用いて２次元コードを端末装置に読み込み、これを認識手段に認識させ、アクセス手段を用いてその２次元コードが示すサーバーにアクセスすることにより、そのサーバーに対応するサービスを受けることができる。
【０００９】
請求項３に記載の本発明は、請求項１または２に記載の無線電話において、前記２次元コードが、少なくともテキストデータがコーディングされたものであり、前記認識手段により認識されたテキストデータを音声にして読み上げる音声出力手段を備えたことを特徴とする。
【００１０】
このように構成された無線電話によれば、２次元コードにコーディングされたテキストデータ（文字情報）を音声出力手段が読み上げるので、無線電話の小さな画面の文字を使用者が読みとる必要がない。
【００１１】
請求項４に記載の本発明は、２次元コードを表示する画像形成手段と、少なくとも２次元コードを撮像する撮像手段、該撮像手段により撮像された２次元コードの情報を認識する認識手段、該認識手段により認識された情報を記憶する記憶手段を備えた端末装置とを備えたことを特徴とする情報配信システムをその要旨とする。
【００１２】
このように構成された情報配信システムによれば、撮像手段を用いて２次元コードを端末装置に読み込み、これを認識手段に認識させ、記憶手段に記憶させることにより、いつでもその情報を利用可能となる。
【００１３】
請求項５に記載の本発明は、請求項４に記載の情報配信システムにおいて、前記２次元コードが、少なくとも当該無線電話でアクセス可能なサーバーのアドレスがコーディングされたものであり、前記端末装置が、前記認識手段により認識されたアドレスが示すサーバーにアクセスするアクセス手段を備えたことを特徴とする。
【００１４】
このように構成された情報配信システムによれば、撮像手段を用いて２次元コードを端末装置に読み込み、これを認識手段に認識させ、アクセス手段を用いてその２次元コードが示すサーバーにアクセスすることにより、そのサーバーに対応するサービスを受けることができる（詳しくは後述）。
【００１５】
請求項６に記載の本発明は、請求項４または５に記載の情報配信システムにおいて、前記端末装置が、請求項１乃至３の何れかに記載の無線電話であることを特徴とする。
このように構成された情報配信システムによれば、認識手段により認識された２次元コードの情報を、携帯することが可能となる。
【００１６】
請求項７に記載の本発明は、請求項３乃至６の何れかに記載の情報配信システムにおいて、前記画像形成手段が、テレビ放送の画像を表示する画像表示手段であることを特徴とする。
【００１７】
これに反し、例えば、画像形成手段を印刷物（例えば、新聞、雑誌、ポスターなど）とすると、２次元コードからの情報配信を受けることはできるが、２次元コードが固定されており、また通常の文字印刷を行うスペースも必要であるため、取得可能な情報の総量に限界がある。
【００１８】
この点、請求項７のように構成された情報配信システムによれば、テレビ放送により次々と別の２次元コードを画面に表示することにより様々な情報を配信することが可能となる。また、テレビ放送される番組などに関連した情報を配信すれば、関連情報や視聴者の消費意欲を喚起することも可能となる（詳しくは後述）。尚、画像表示手段としては、ブラウン管、液晶ディスプレイ、プラズマディスプレイパネルなどを挙げることができる。
【発明の効果】
【００１９】
上述のように、本発明の無線電話は、２次元コードを撮像しておけば、いつでもその２次元コードにコーディングされた大量の情報を携帯し、利用可能となる。
また、アクセス手段を用いてその２次元コードが示すサーバーにアクセスすることにより、そのサーバーに対応するサービスを受けることができる（詳しくは後述）。
【００２０】
そして、２次元コードにコーディングされたテキストデータ（文字情報）を音声出力手段が読み上げるので、無線電話の小さな画面の文字を使用者が読みとる必要がない。
本発明の情報配信システムは、端末装置にて２次元コードを撮像しておけば、いつでもその２次元コードにコーディングされた大量の情報を携帯し、利用可能となる。
【００２１】
また、テレビ放送により次々と別の２次元コードを画面に表示することにより様々な情報を配信することが可能となる。また、テレビ放送される番組などに関連した情報を配信すれば、関連情報や視聴者の消費意欲を喚起することも可能となる（詳しくは後述）。
【発明を実施するための最良の形態】
【００２２】
以下、本発明の実施の形態について図面に基づいて説明する。まず、図１は本発明を適用した携帯電話１であり、図１（ａ）が携帯電話１の外観、図１（ｂ）が携帯電話１の内部構成のブロック図である。携帯電話１は、液晶ディスプレイにて構成された表示部１５、矢印キー１７、機能キー１９、数字キー２０などを備えている。そして携帯電話１は、、アンテナ２１を介して送受信する信号を変調・復調して携帯電話網を構成する基地局との間で無線通信を行うための送受信部２３、通話時に他の電話装置から送られてくる音声信号を音声として出力したり基地局から呼出信号が送信されてきたことを利用者に知らせるための着信音を発生したりする音声出力部２５、利用者の音声を入力するための音声入力部２７、背面に配置されたカメラ２８、これら各部に接続されて各種制御処理を行うための制御部２９を備えている。
【００２３】
制御部２９は、マイクロコンピュータとして構成されており、ＣＰＵ３１、ＲＯＭ３３、ＲＡＭ３５を備えると共に、これらを互いに接続するバスライン（図示せず）や、これら各部と接続するためのＩ／Ｏ（図示せず）等を備えている。なお、図示されていないが、携帯電話１はカレンダー付き時計も備えている。そして、一般的な携帯電話１としての機能を、ＲＯＭ３３に格納されたプログラムを実行することにより実現する。
【００２４】
この携帯電話１を用いた情報配信システムの概念図を図３に示す。まず、雑誌４１には、掲載された記事に関するサーバー４５のアドレスがコーディングされた２次元コード４３が掲載されている。また、携帯電話１の携帯電話網Ｍには、そのサーバー４５が接続されている。本システムで携帯電話１を利用してサーバー４５にアクセスする処理を図３のフローチャートに示す。
【００２５】
本処理は、２次元コード認識モードにされる（Ｓ１００）と起動される。本処理が起動されると、Ｓ１１０にてカメラ２８を用いて２次元コードを撮像する。そして撮像した２次元コードにコーディングされている情報を認識する（Ｓ１２０）。そして続くＳ１３０にて、認識した情報をマルティメディアの内の何れであるか、具体的には、画像情報なのか、音声情報なのか、文字情報なのかといった分類をする。ここでは、サーバー４５のアドレスであるから文字情報となる。なお、こうして分類されたデータは表示部１５に表示される。こうして分類されたデータはＲＡＭ３５に保存される。表示部１５に表示されたアドレスを携帯電話１の使用者が指定すると（Ｓ１４０）、サーバー４５に接続する。
【００２６】
このような本処理によれば、携帯電話１を用いてサーバー４５に対応するサービスを受けることができる。例えば、雑誌４１に、新製品に関する情報が記載されており、２次元コード４３にその新製品のメーカーのホームページのアドレスがコーディングされていれば、２次元コード４３をカメラ２８で撮影することにより、メーカーのホームページにアクセスし、その新製品の詳細な情報などを得ることができる。また、雑誌４１に通信販売が掲載されており、２次元コード４３にその通信販売会社のホームページのアドレスがコーディングされていれば、２次元コード４３をカメラ２８で撮影することにより、その通信販売会社のホームページにアクセスし、その商品の購入をすることができる。更に、雑誌４１にグルメ情報が記載されており、２次元コード４３に料理を提供する店のホームページのアドレスがコーディングされていれば、２次元コード４３をカメラ２８で撮影することにより、その店のホームページにアクセスし、その新製品の詳細な情報などを得ることができる。ホームページのアドレスだけではなく、新製品のスペック、グラフィックス、音楽データ、などもコーディングしておけば、これらの情報を得ることが出来る。本システムによれば、このような双方向のデータ通信を行うサービスを容易に受けることができる。なお、携帯電話１では、ホームページのアドレスを数字キー２０等を用いて直接入力してアクセスすることも可能にされているが、これでは時間が掛かり、煩わしく、またアドレスの打ち間違いも発生しやすい。この点、本システムによれば、２次元コード４３を撮像するだけで正しいアドレスが携帯電話１に入力されるので、こうした煩わしさや打ち間違いの心配がないだけではなく、一度に数百もの店舗のアドレス帳として保存もできるため、ラーメンbest 100件といった番組や、温泉best XXXといった特集の類でのメモとして最適である。さらに、携帯電話にて、アンケートや注文のをメールやインターネットモード(株式会社エヌ・ティ・ティ・ドコモであればｉモード（登録商標）)で送付するさい、paid by スポンサーという構文解釈により、通信費をスポンサー持ちにすることもできる。
【００２７】
携帯電話１を用いた情報配信システムの別の態様を図４に示す。この態様では、テレビ受像器５１の画面の隅に２次元コード４３が表示されている。この２次元コード４３には、現在放送中の番組の概要が文字情報としてコーディングされている。カメラ２８を用いて２次元コード４３を撮像すると、２次元コード４３の内容が認識され、表示部１５に放送中の番組の概要が文字になって表示される。本図の場合、例えば、表示部１５に「同センターの開館時間は午前１０時から午後６時までです。交通機関のご利用は、○○駅下車徒歩５分。電話番号は…」と表示される。従って、番組内容をメモする必要がない。こうした文字情報もＲＡＭ３５に保存されるので、使用者が所望の時にＲＡＭ３５から呼び出して表示部１５に表示させることができる。すなわち、記録したデータを携帯電話１と共にどこにでも持ち運ぶことができる。災害時には、携帯電話はつながりにくいが、TVなどの放送は多くの場所で受信可能であるが、こうした際に、有用な情報をバーコード放送にて送信し、情報を伝達すると有用である。
【００２８】
しかもこの文字情報を音声出力することも可能にされている。表示部１５に文字情報が表示された状態で数字キー２０や機能キー１９等を用いて所定のキー操作を行うと、音声出力部２５から文字情報が音声となって出力される。これにより、ハンディキャップを持つ人やお年寄りなどにとっても使いやすい機種となっている。
【００２９】
以上、本発明の実施の形態を説明したが、本発明はこれに限定されるものではなく、本発明の要旨を変更しない限り、様々な態様で実施し得るものである。
例えば、上記実施形態では無線電話として携帯電話を用いたが、ＰＨＳを用いて同様の事を実現しても良い。また無線ではない所定の端末装置を用いても良い。
【００３０】
また、図４に示した態様では、２次元コード４３に番組の概要をコーディングしていたが、それ以外に、例えば、クイズ番組への参加、アンケートへの回答、有料放送の料金支払いなどに利用しても良い。また、ドラマの場合、現在放送中の内容ではなく、前回までの放送のあらすじをコーディングしたり、次回の予告をコーディングしたりしてもよい。また、ドラマに登場する商品（例えば、車、洋服、電化製品）などを販売するサイトのホームページのアドレスをコーディングしてもよい。語学番組の場合、前回の復習、今回のまとめなどをコーディングしたり、料理番組では、レシピをコーディングしたりすると非常に便利である。
【００３１】
また、災害が発生した際に、その情報をコーディングしておけば、避難場所にも携帯していける情報発信を行うことができる。
【図面の簡単な説明】
【００３２】
【図１】本発明を適用した携帯電話１の外観図および内部構成のブロック図である。
【図２】本発明を適用した情報配信システムの概略説明図である。
【図３】携帯電話１のＣＰＵ３１にて実行される２次元コード認識処理のフローチャートである。
【図４】本発明を適用した情報配信システムの概略説明図である。
【符号の説明】
【００３３】
１…携帯電話      １５…表示部
１７…矢印キー      １９…機能キー
２０…数字キー      ２１…アンテナ
２３…送受信部      ２５…音声出力部
２７…音声入力部    ２８…カメラ
Ｍ…携帯電話網
【図１】
2005094641.tif 000003
【図２】
2005094641.tif 000004
【図３】
2005094641.tif 000005
【図４】
2005094641.tif 000006